(57)【要約】      （修正有）【課題】違法な帯域の電波が出力されることを防止する。【解決手段】ＡＶレシーバー１は、無線通信を行うための無線モジュール１４と、無線モジュール１４を制御する無線制御マイクロコンピューター１３と、メインマイクロコンピューター２と、を備える。メインマイクロコンピューター２は、前回電源がオンになっていない場合に、電源電圧が供給された後、所定時間内に電源ボタンが押下され、且つ、電源ボタンが押下され続けられている状態で、無線制御マイクロコンピューター１３を起動しない。【選択図】図１
2017156778.tif 000002
【特許請求の範囲】
【請求項１】
無線通信を行うための無線モジュールと、
前記無線モジュールを制御する無線モジュール制御部と、
メイン制御部と、を備え、
前記メイン制御部は、
前回電源がオンになっていない場合に、電源電圧が供給された後、所定時間内に電源ボタンが押下され、且つ、前記電源ボタンが押下され続けられている状態で、前記無線モジュール制御部を起動しないことを特徴とする電子機器。
【請求項２】
前記メイン制御部は、
前回電源がオンになっていない場合に、電源電圧が供給された後、所定時間内に前記電源ボタンが押下され、且つ、前記電源ボタンが押下され続けられている状態で、所定のボタンが押下された場合に、前記無線モジュールの無線帯域を設定するための特殊モードに移行することを特徴とする請求項１に記載の電子機器。
【請求項３】
前記メイン制御部は、
前記特殊モードにおいて、前記無線モジュール制御部に、帯域設定コマンドを送信することを特徴とする請求項２に記載の電子機器。
【請求項４】
前記メイン制御部は、
前回電源がオンになっている場合に、電源電圧が供給された後、所定時間経過後に前記電源ボタンが押下された場合に、電源をオンすることを特徴とする請求項１〜３のいずれか１項に記載の電子機器。
【請求項５】
前記メイン制御部は、
前回電源がオンになっている場合に、電源電圧が供給された後、所定時間内に前記電源ボタンが押下され、且つ、前記電源ボタンが押下され続けられている状態で、電源をオンすることを特徴とする請求項１〜４のいずれか１項に記載の電子機器。
【請求項６】
前記メイン制御部は、
前回電源がオンになっていない場合に、電源電圧が供給された後、所定時間内に前記電源ボタンが押下され、且つ、前記電源ボタンが押下され続けられている状態で、一部の機能を起動することを特徴とする請求項１〜５のいずれか１項に記載の電子機器。
【請求項７】
前記メイン制御部は、
前回電源がオンになっていない場合に、電源電圧が供給された後、所定時間内に前記電源ボタンが押下され、且つ、前記電源ボタンが押下され続けられている状態から、前記電源ボタンが押下されなくなった場合に、起動した一部の機能をオフすることを特徴とする請求項６に記載の電子機器。
【請求項８】
前記メイン制御部は、
前回電源がオンになっていない場合に、電源電圧が供給された後、所定時間経過後に前記電源ボタンが押下された場合に、電源をオンしないことを特徴とする請求項１〜７のいずれか１項に記載の電子機器。
【発明の詳細な説明】
【技術分野】
【０００１】
本発明は、無線通信を行う電子機器に関する。
【背景技術】
【０００２】
無線通信を行うため、例えば、５ＧＨｚ帯の電波が利用されている（例えば、特許文献１参照。）。５ＧＨｚ帯の電波は、各国において、使用可能な帯域が細かく制限されている。このため、販売国毎に仕向地を区別し、帯域設定をしておく必要がある。しかし、販売台数が少ない国向け用に仕向地設定を行うことは、工数、管理の面から、実施することは困難である。このため、販売店にて、機器毎に、無線の帯域設定を行う必要がある。
【先行技術文献】
【特許文献】
【０００３】
【特許文献１】特開２０１５−１７０９７７号公報
【発明の概要】
【発明が解決しようとする課題】
【０００４】
例えば、無線モジュールを制御する無線制御マイクロコンピューターと、メインマイクロコンピューターと、が別の構成において、メインマイクロコンピューターからの初期設定前に、無線制御マイクロコンピューターが起動すると、同時に無線モジュールから電波が出力されてしまう場合がある。このとき、無線モジュールに正しい帯域設定を行う前に、電波が出力されると、違法な帯域の電波が含まれてしまう場合がある。
【０００５】
本発明の目的は、違法な帯域の電波が出力されることを防止することである。
【課題を解決するための手段】
【０００６】
第１の発明の電子機器は、無線通信を行うための無線モジュールと、前記無線モジュールを制御する無線モジュール制御部と、メイン制御部と、を備え、前記メイン制御部は、前回電源がオンになっていない場合に、電源電圧が供給された後、所定時間内に電源ボタンが押下され、且つ、前記電源ボタンが押下され続けられている状態で、前記無線モジュール制御部を起動しないことを特徴とする。
【０００７】
本発明では、メイン制御部は、前回電源がオンになっていない場合に、電源電圧が供給された後、所定時間内に電源ボタンが押下され、且つ、電源ボタンが押下され続けられている状態で、無線モジュール制御部を起動しない。このため、例えば、販売店のスタッフが、プラグをコンセントに接続した後、所定時間内に電源ボタンを押下し、且つ、電源ボタンを押下し続ければ、無線モジュール制御部が起動せず、無線モジュールも起動しない。ここで、前回電源がオンになっていれば、無線モジュールの帯域設定が行われている。このため、本発明によれば、無線モジュールの帯域設定前に、無線モジュールを起動させないようにすることができるため、違法な帯域の電波が出力されることが防止される。
【０００８】
第２の発明の電子機器は、第１の発明の電子機器において、前記メイン制御部は、前回電源がオンになっていない場合に、電源電圧が供給された後、所定時間内に前記電源ボタンが押下され、且つ、前記電源ボタンが押下され続けられている状態で、所定のボタンが押下された場合に、前記無線モジュールの無線帯域を設定するための特殊モードに移行することを特徴とする。
【０００９】
本発明では、メイン制御部は、前回電源がオンになっていない場合に、電源電圧が供給された後、所定時間内に電源ボタンが押下され、且つ、電源ボタンが押下され続けられている状態で、所定のボタンが押下された場合に、無線モジュールの無線帯域を設定するための特殊モードに移行する。このため、例えば、販売店のスタッフが、プラグをコンセントに接続した後、所定時間内に電源ボタンを押下し、且つ、電源ボタンを押下し続け、且つ、所定のキーを押下すれば、無線モジュールの無線帯域を設定することができる。
【００１０】
第３の発明の電子機器は、第２の発明の電子機器において、前記メイン制御部は、前記特殊モードにおいて、前記無線モジュール制御部に、帯域設定コマンドを送信することを特徴とする。
【００１１】
本発明では、メイン制御部は、特殊モードにおいて、無線モジュール制御部に、帯域設定コマンドを送信する。これにより、無線モジュール制御部により、無線モジュールの帯域設定を行うことができる。
【００１２】
第４の発明の電子機器は、第１〜第３の発明のいずれかの電子機器において、前記メイン制御部は、前回電源がオンになっている場合に、電源電圧が供給された後、所定時間経過後に前記電源ボタンが押下された場合に、電源をオンすることを特徴とする。
【００１３】
前回電源がオンになっていれば、無線モジュールの帯域設定が行われている。このため、本発明では、メイン制御部は、前回電源がオンになっている場合に、電源電圧が供給された後、所定時間経過後に電源ボタンが押下された場合に、電源をオンする。
【００１４】
第５の発明の電子機器は、第１〜第４の発明のいずれかの電子機器において、前記メイン制御部は、前回電源がオンになっている場合に、電源電圧が供給された後、所定時間内に前記電源ボタンが押下され、且つ、前記電源ボタンが押下され続けられている状態で、電源をオンすることを特徴とする。
【００１５】
前回電源がオンになっていれば、無線モジュールの帯域設定が行われている。このため、本発明では、メイン制御部は、前回電源がオンになっている場合に、電源電圧が供給された後、所定時間内に電源ボタンが押下され、且つ、電源ボタンが押下され続けられている状態で、電源をオンする。
【００１６】
第６の発明の電子機器は、第１〜第５の発明のいずれかの電子機器において、前記メイン制御部は、前回電源がオンになっていない場合に、電源電圧が供給された後、所定時間内に前記電源ボタンが押下され、且つ、前記電源ボタンが押下され続けられている状態で、一部の機能を起動することを特徴とする。
【００１７】
第７の発明の電子機器は、第６の発明の電子機器において、前記メイン制御部は、前回電源がオンになっていない場合に、電源電圧が供給された後、所定時間内に電源ボタンが押下され、且つ、電源ボタンが押下され続けられている状態から、電源ボタンが押下されなくなった場合に、起動した一部の機能をオフすることを特徴とする。
【００１８】
第８の発明の電子機器は、第１〜第７の発明のいずれかの電子機器において、前記メイン制御部は、前回電源がオンになっていない場合に、電源電圧が供給された後、所定時間経過後に前記電源ボタンが押下された場合に、電源をオンしないことを特徴とする。
【００１９】
前回電源がオンになっていなければ、無線モジュールの帯域設定が行われていない。このため、メイン制御部は、前回電源がオンになっていない場合に、電源電圧が供給された後、所定時間経過後に電源ボタンが押下された場合に、電源をオンしない。これにより、違法な帯域の電波が出力されることが防止される。
【発明の効果】
【００２０】
本発明によれば、違法な帯域の電波が出力されることが防止される。
【図面の簡単な説明】
【００２１】
【図１】本発明の実施形態に係るＡＶレシーバーの構成を示すブロック図である。
【図２】起動時のＡＶレシーバーの処理動作を示すフローチャートである。
【図３】起動時のＡＶレシーバーの処理動作を示すフローチャートである。
【図４】起動時のＡＶレシーバーの処理動作を示すフローチャートである。
【図５】起動時のＡＶレシーバーの処理動作を示すフローチャートである。
【発明を実施するための形態】
【００２２】
以下、本発明の実施形態について説明する。図１は、本実施形態に係るＡＶレシーバーの構成を示すブロック図である。ＡＶレシーバー１（電子機器）は、例えば、ＣＤプレーヤー１００から出力された音声信号に、増幅等の音声処理を行って、スピーカー２００に出力する。
【００２３】
図１に示すように、ＡＶレシーバー１は、メインマイクロコンピューター２、記憶部３、表示部４、操作部５、デジタル信号入力端子６、ＤＩＲ（Digital Interface Receiver）７、ＤＳＰ（Digital Signal Processor）８、Ｄ／Ａコンバーター（以下、「ＤＡＣ」という。）９、ボリューム調整部１０、増幅部１１、スピーカー端子１２、無線制御マイクロコンピューター１３、無線モジュール１４を備える。
【００２４】
メインマイクロコンピューター（メイン制御部）２は、記憶部３に記憶されたプログラムに従って、ＡＶレシーバー１を構成する各部を制御する。記憶部３は、メインマイクロコンピューター２の主メモリとして機能するＲＡＭ（Random Access Memory）、プログラムを記憶するＲＯＭ（Read Only Memory）から構成されている。なお、記憶部３は、例示する構成に限られず、フラッシュメモリやＨＤＤ（Hard Disk Drive）等を含んでいてもよい。
【００２５】
表示部４は、設定画面等を表示するものであり、ＬＣＤ（液晶ディスプレイ）や蛍光表示管等である。操作部５は、ユーザー操作を受け付けるためのものであり、ＡＶレシーバー１の筐体に設けられた操作ボタンやリモートコントローラーである。ユーザーは、操作部５を操作することにより、例えば、音声信号のボリューム値を指示することができる。
【００２６】
デジタル信号入力端子６には、ＣＤプレーヤー１００が接続されている。デジタル信号入力端子６には、ＣＤプレーヤー１００からＳＰＤＩＦ信号が入力される。ＤＩＲ７は、ＣＤプレーヤー１００から入力されるＳＰＤＩＦ信号を、Ｉ２Ｓ信号に変換する。変換されたＩ２Ｓ信号は、ＤＳＰ８に出力される。ＤＳＰ８は、Ｉ２Ｓ信号に、イコライザー処理等のデジタル信号処理を行う。デジタル信号処理が行われたＩ２Ｓ信号は、ＤＡＣ９に出力される。ＤＡＣ９は、Ｉ２Ｓ信号をアナログ音声信号にＤ／Ａ変換する。Ｄ／Ａ変換されたアナログ音声信号は、ボリューム調整部１０に出力される。
【００２７】
ボリューム調整部１０は、アナログ音声信号のボリューム値を調整する。ボリューム値が調整されたアナログ音声信号は、増幅部１１に出力される。増幅部１１は、ボリューム値が調整されたアナログ音声信号を増幅する。増幅されたアナログ音声信号は、スピーカー端子１２に出力される。スピーカー端子１２には、スピーカー２００が接続されている。スピーカー２００は、アナログ音声信号に基づいて、音声を出力する。
【００２８】
無線制御マイクロコンピューター（無線モジュール制御部）１３は、無線モジュール１４を制御する。無線モジュール１４は、Ｗｉ−Ｆｉ規格に従った無線通信を行うためのものである。無線モジュール１４は、５ＧＨｚ帯の電波を利用して、無線通信を行う。
【００２９】
以下、起動時のＡＶレシーバー１の処理動作を、図２〜図５に示すフローチャートに基づいて説明する。図２に示すように、メインマイクロコンピューター２は、プラグがコンセントに接続されると、すなわち、電源電圧が供給されると、５００ｍｓのタイマーをスタートする（Ｓ１）。図３に示すように、メインマイクロコンピューター２は、５００ｍｓタイマーが経過した後、前回電源がオンになったか否かを判断する（Ｓ１１）。メインマイクロコンピューター２は、前回電源がオンになっていると判断した場合（Ｓ１１：Ｙｅｓ）、通常の電源オンを行う（Ｓ１２）。すなわち、メインマイクロコンピューター２は、前回値の電源状態を復帰する処理を行う。メインマイクロコンピューター２は、前回電源がオンになっていないと判断した場合（Ｓ１１：Ｎｏ）、処理を終了する。従って、メインマイクロコンピューター２は、電源をオンしない。
【００３０】
図４に示すように、メインマイクロコンピューター２は、電源ボタンが押下された場合、電源ボタンが押下され続けているか否かを判断する（Ｓ２１）。メインマイクロコンピューター２は、電源ボタンが押下され続けていると判断した場合（Ｓ２１：Ｙｅｓ）、５００ｍｓタイマーが動作中であるか否かを判断する（Ｓ２２）。メインマイクロコンピューター２は、５００ｍｓタイマーが動作中であると判断した場合（Ｓ２２：Ｙｅｓ）、前回電源がオンになっているか否かを判断する（Ｓ２３）。すなわち、メインマイクロコンピューター２は、初回起動であるか否かを判断する。メインマイクロコンピューター２は、前回電源がオンになっていないと判断した場合（Ｓ２３：Ｎｏ）、一部の機能を起動する（Ｓ２４）。例えば、メインマイクロコンピューター２は、キー処理、表示処理の機能を起動する。このとき、メインマイクロコンピューター２は、無線制御マイクロコンピューター１３を起動しない。従って、無線モジュール１４も起動しない。そして、メインマイクロコンピューター２は、無線モジュール１４の無線帯域を設定するための特殊モードへの移行を待機する（Ｓ２５）。
【００３１】
メインマイクロコンピューター２は、５００ｍｓタイマーが動作中でないと判断した場合（Ｓ２２：Ｎｏ）、及び、前回電源がオンになっていると判断した場合（Ｓ２３：Ｙｅｓ）、電源をオンする（Ｓ２５）。
【００３２】
メインマイクロコンピューター２は、電源ボタンが押下され続けていない、すなわち、電源ボタンが押下されなくなったと判断した場合（Ｓ２１：Ｎｏ）、特殊モード待機の状態であるか否かを判断する（Ｓ２７）。メインマイクロコンピューター２は、特殊モード待機の状態であると判断した場合（Ｓ２７：Ｙｅｓ）、起動した一部の機能をオフする（Ｓ２８）。そして、メインマイクロコンピューター２は、特殊モードの待機を中止する（Ｓ２９）。メインマイクロコンピューター２は、特殊モード待機の状態でないと判断した場合（Ｓ２７：Ｎｏ）、処理を終了する。
【００３３】
図５に示すように、メインマイクロコンピューター２は、所定のキーが押下された場合に、特殊モード待機の状態であるか否かを判断する（Ｓ３１）。特殊モード待機の状態であれば、電源ボタンは、押下され続けたままである。メインマイクロコンピューター２は、特殊モード待機の状態であると判断した場合（Ｓ３１：Ｙｅｓ）、特殊モードに移行する（Ｓ３２）。メインマイクロコンピューター２は、特殊モード待機の状態ではないと判断した場合（Ｓ３１：Ｎｏ）、処理を終了する。メインマイクロコンピューター２は、特殊モードにおいて、無線制御マイクロコンピューター１３に帯域設定コマンドを送信する。無線制御マイクロコンピューター１３は、帯域設定コマンドに基づいて、無線モジュール１４の無線帯域を設定する。
【００３４】
以上説明したように、本実施形態では、メインマイクロコンピューター２は、前回電源がオンになっていない場合に、電源電圧が供給された後、所定時間（５００ｍｓ）内に電源ボタンが押下され、且つ、電源ボタンが押下され続けられている状態で、無線制御マイクロコンピューター１３を起動しない。このため、例えば、販売店のスタッフが、プラグをコンセントに接続した後、所定時間内に電源ボタンを押下し、且つ、電源ボタンを押下し続ければ、無線制御マイクロコンピューター１３が起動せず、無線モジュール１４も起動しない。ここで、前回電源がオンになっていれば、無線モジュール１４の帯域設定が行われている。このため、本実施形態によれば、無線モジュール１４の帯域設定前に、無線モジュール１４を起動させないようにすることができるため、違法な帯域の電波が出力されることが防止される。
【００３５】
また、本実施形態では、メインマイクロコンピューター２は、前回電源がオンになっていない場合に、電源電圧が供給された後、所定時間（５００ｍｓ）内に電源ボタンが押下され、且つ、電源ボタンが押下され続けられている状態で、所定のボタンが押下された場合に、無線モジュール１４の無線帯域を設定するための特殊モードに移行する。このため、例えば、販売店のスタッフが、プラグをコンセントに接続した後、所定時間内に電源ボタンを押下し、且つ、電源ボタンを押下し続け、且つ、所定のキーを押下すれば、無線モジュール１４の無線帯域を設定することができる。
【００３６】
また、本実施形態では、メインマイクロコンピューター２は、特殊モードにおいて、無線制御マイクロコンピューター１３に、帯域設定コマンドを送信する。これにより、無線制御マイクロコンピューター１３により、無線モジュール１４の帯域設定を行うことができる。
【００３７】
また、前回電源がオンになっていれば、無線モジュール１４の帯域設定が行われている。このため、本実施形態では、メインマイクロコンピューター２は、前回電源がオンになっている場合に、電源電圧が供給された後、所定時間（５００ｍｓ）経過後に電源ボタンが押下された場合に、電源をオンする。
【００３８】
また、前回電源がオンになっていれば、無線モジュール１４の帯域設定が行われている。このため、本実施形態では、メインマイクロコンピューター２は、前回電源がオンになっている場合に、電源電圧が供給された後、所定時間（５００ｍｓ）内に電源ボタンが押下され、且つ、電源ボタンが押下され続けられている状態で、電源をオンする。
【００３９】
また、前回電源がオンになっていなければ、無線モジュール１４の帯域設定が行われていない。このため、メインマイクロコンピューター２は、前回電源がオンになっていない場合に、電源電圧が供給された後、所定時間（５００ｍｓ）経過後に電源ボタンが押下された場合に、電源をオンしない。これにより、違法な帯域の電波が出力されることが防止される。
【００４０】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４１】
上述の実施形態においては、電子機器として、ＡＶレシーバー１を例示した。これに限らず、無線通信を行う電子機器であれば、無線ＬＡＮアクセスポイント、デジタルオーディオプレーヤー、スマートフォン、携帯電話等であってもよい。
【産業上の利用可能性】
【００４２】
本発明は、無線通信を行う電子機器に好適に採用され得る。
【符号の説明】
【００４３】
１  ＡＶレシーバー（電子機器）
２  メインマイクロコンピューター（メイン制御部）
５  操作部
１３  無線制御マイクロコンピューター（無線モジュール制御部）
１４  無線モジュール
【図１】
2017156778.tif 000003
【図２】
2017156778.tif 000004
【図３】
2017156778.tif 000005
【図４】
2017156778.tif 000006
【図５】
2017156778.tif 000007